(57)【要約】【課題】利用者による簡単な操作によって、認識し易く且つ好みの明るさに調節可能な表示を行う車両用表示装置を提供する。【解決手段】  斯かる車両用表示装置は、車両情報を表示する第１の表示部２と、前記車両情報の表示を加飾表示する第２の表示部３と、第１、第２の表示部２，３を照明する第１，第２の光源２２，２３の照明輝度を調整するための操作スイッチ（入力手段）１と、操作スイッチ１に基づいて、第１，第２の表示部２，３の表示輝度を調整する制御手段５と、を備えた車両用表示装置であって、制御手段５は、操作スイッチ１からの信号に基づいて第１、第２の表示部２，３それぞれの目標輝度を設定して第１，第２の光源２２，２３を制御するとともに、第１の表示部２の第１の光源２２が所定目標輝度値以下の場合に、第２の表示部３の表示を停止してなる。【選択図】  図１
2010127876.tif 000002
【特許請求の範囲】
【請求項１】
車両情報を表示する第１の表示部と、前記車両情報の表示を加飾表示する第２の表示部と、
前記第１、第２の表示部を照明する光源の照明輝度を調整するための入力手段と、
前記入力手段に基づいて、前記第１，第２の表示部の表示輝度を調整する制御手段と、を備えた車両用表示装置であって、
前記制御手段は、前記入力手段からの信号に基づいて前記第１、第２の表示部それぞれの目標輝度を設定して前記光源を制御するとともに、前記第１の表示部が所定目標輝度値以下の場合に、前記第２の表示部の表示を停止してなることを特徴とする車両用表示装置。
【請求項２】
前記第１の表示部は、表示パネルとこの表示パネルを透過照明する第１の光源と設けてなり、前記第２の表示部は、導光部材とこの導光部材を透過照明する第２の光源とを設けてなり、
前記制御手段は、前記第２の光源を消灯することによって前記第２の表示部の表示を停止することを特徴とする請求項１に記載の車両用表示装置。
【請求項３】
前記第１の表示部からの表示を透過するとともに、前記第２の表示部からの表示像を反射する透過反射手段を備え、
前記第１，第２の表示部は、この透過反射手段を用いて合成表示してなることを特徴とする請求項１に記載の車両用表示装置。
【発明の詳細な説明】
【技術分野】
【０００１】
本発明は、被照明体となる表示部を照明する複数の光源を備えた車両用表示装置であって、特に、照明輝度を変更できる調光機能の備えた車両用表示装置に好適である。
【背景技術】
【０００２】
従来、車両用表示装置として、見栄えのある斬新な表示をするために、様々な方法が提案されており、例えば、目盛などの指標を備えた文字板の外周に発光表示する枠状の加飾部を備えたものが知られている。
【０００３】
また、特許文献１に開示されるように、複数の光源からの光を加飾部である導光体に入射させて、この導光体をその長手方向（外枠の方向）に均一に発光させるものがあり、具体的には、表示意匠を設けてなる文字板と、この文字板の前面に沿って回動する指針と、文字板の表面に設けられる導光体と、文字板の背後に配置された光源などを備えている。
【０００４】
これらの車両用表示装置は、利用者の好みに応じて最適な表示輝度にて表示されるように、文字板、指針、導光体等を照明する光源の照明輝度を調整するためのスイッチ（入力手段）と、このスイッチに基づいて、光源の照明輝度を調整する制御手段とを備えることによって、調光できるように構成されるものが望まれている。
【特許文献１】特開２００２−２２８４９３号公報
【発明の開示】
【発明が解決しようとする課題】
【０００５】
しかしながら、導光体による加飾によって見栄え良く表示できる一方、例えば、夜間など車両用表示装置の表示輝度が利用者の好みよりも明るすぎ、表示輝度をスイッチを用いて輝度を小さくする操作した場合であっても、指針の指示位置など車両情報が視認し難くならない表示輝度を確保しなければならないため、利用者の好みに対して余計な明るさで表示しなければならないといった問題があった。
【０００６】
そこで本発明の目的とするところは、上述した課題に着目してなされたものであって、利用者による簡単な操作によって、認識し易く且つ好みの明るさに調節可能な表示を行う車両用表示装置を提供することにある。
【課題を解決するための手段】
【０００７】
本発明の車両用表示装置は、請求項１に記載したように、車両情報を表示する第１の表示部と、前記車両情報の表示を加飾表示する第２の表示部と、前記第１、第２の表示部を照明する光源の照明輝度を調整するための入力手段と、前記入力手段に基づいて、前記第１，第２の表示部の表示輝度を調整する制御手段と、を備えた車両用表示装置であって、前記制御手段は、前記入力手段からの信号に基づいて前記第１、第２の表示部それぞれの目標輝度を設定して前記光源を制御するとともに、前記第１の表示部が所定目標輝度値以下の場合に、前記第２の表示部の表示を停止してなることを特徴とする車両用表示装置。
【０００８】
また、請求項２に記載したように、請求項１に記載の車両用表示装置において、前記第１の表示部は、表示パネルとこの表示パネルを透過照明する第１の光源と設けてなり、前記第２の表示部は、導光部材とこの導光部材を透過照明する第２の光源とを設けてなり、
前記制御手段は、前記第２の光源を消灯することによって前記第２の表示部の表示を停止することを特徴とする。
【０００９】
また、請求項３に記載したように、請求項１に記載の車両用表示装置において、前記第１の表示部からの表示を透過するとともに、前記第２の表示部からの表示像を反射する透過反射手段を備え、前記第１，第２の表示部は、この透過反射手段を用いて合成表示してなることを特徴とする請求項１に記載の車両用表示装置。
【発明の効果】
【００１０】
本発明は、表示部を照明する複数の光源を設けてなり、光源の照明輝度を変更できる調光機能の備えた車両用表示装置に関して、利用者による簡単な操作によって、認識し易く且つ好みの明るさに調節可能な表示を行うことができる。
【発明を実施するための最良の形態】
【００１１】
以下、本発明が適用された実施の形態について添付図面を用いて説明する。
【００１２】
図１は、本発明を調光可能な車両用計器に適用した実施例であり、照明構造に関する電気的構成を示すブロック図である。車両用計器は、操作スイッチ１と、第１の表示部２と、第２の表示部３と、透過反射手段４と、制御手段５と、を備えている。
【００１３】
操作スイッチ１は、利用者の押し圧操作によって入力操作を行うためのものであり、操作に基づく信号を制御手段５へ出力するものである。この場合、操作スイッチ１は、第１の表示部２及び第２の表示部３の表示輝度を調光するための専用スイッチであり、例えば、インストルメントパネル、車両用計器、ステアリングなど利用者が車両運転席に着座状態で操作可能な位置に設けることができる。また、操作スイッチ１は、操作回数や操作時間、操作量、操作方向に応じた信号を制御手段５へ出力することができる。
【００１４】
第１の表示部２は、車両情報を表示するための表示器であり、液晶を用いた表示パネル２１と、この表示パネル２１を透過照明するため表示パネル２１の背後（利用者の反対側）に設けられる第１の光源２２と、を備えている。この場合、第１の表示部２は、透過反射手段４を介して利用者（視認者）に対向して設けられ、制御手段５からの制御信号に基づいて表示像を形成し、車両の走行速度やエンジン回転数、走行距離などを表示することができる。なお、本実施の形態では、表示パネルを用いたものを示すが、例えば、照明用の光源を設けるとともに、制御手段５の制御信号に基づいて回動する指針と、この指針の指示対象となる目盛などの指標部を有する文字板とによって車両情報となる計測値を対比判読する、所謂アナログ表示器を適用することができる。
【００１５】
第２の表示部３は、第１の表示部２の表示を加飾表示するための所定形状に形成された導光部材３１と、この導光部材３１を照明する第２の光源３２と、を設けてなる。この場合、第２の表示部３は、車両用計器において直視できない位置に配置され、表示像が透過反射手段４によって利用者側へ反射して表示されるように設けられる。なお、本実施の形態では、所定の表示像を透過反射手段４に投影して表示する第２の表示部３を示したが、例えば、バックライト（第２の光源）を備えた液晶表示パネルなどを用いて、制御手段５からの制御信号に基づいて変化する車両情報の背景などを表示像として透過反射手段４へ投影出力することもできる。
【００１６】
透過反射手段４は、例えば、ハーフミラーを適用でき、第１の表示部２からの表示像を利用者側に透過するとともに、第２の表示部３からの表示像を第１の表示部２からの表示像と合成して利用者側に反射するように設けられる。この場合、第２の表示部３の表示像は、第１の表示部２の表示を囲むような枠状の加飾意匠からなる。また、第１の表示部２と透過反射手段４との間の距離と、第２の表示部３と透過反射手段４との間の距離と、の差を持たせるように各部品２，３，４の位置や角度を設定することによって、立体感や奥行き感を演出することができる。
【００１７】
制御手段５は、例えば、マイクロコンピュータを適用でき、操作スイッチ１からの信号に基づいて、第１，第２の表示器２，３が所望の明るさで照明されるように調光するために、第１，第２の光源２２，３２の目標輝度（照明輝度）を設定し、制御するものである。なお、本実施の形態における制御手段５は、車両に搭載される各種センサからの信号に基づいて車両情報となる計測値を演算し、第１の表示部２にて表示される表示像を生成して第１の表示部２を駆動制御するものと兼用される。
【００１８】
また、制御手段５は、この場合、図２に示すように、車両情報の視認性を確保するため第１の表示器２の表示輝度が第２の表示器３の表示輝度よりも常に高くなり、且つ操作スイッチ１の押し圧操作時間や操作回数（調整値）に応じて段階的に照明輝度が変化するように第１の光源２２の目標輝度ｔ１と第２の光源３２の目標輝度ｔ２をそれぞれ演算し、これら目標輝度ｔ１，ｔ２になるようにパルス幅変調制御、または電流値調整制御（ゲイン調整制御）を用いた制御信号を光源２２，３２に出力し照明輝度を制御することができる。
【００１９】
このような制御処理とともに制御手段５は、第１，第２の光源２２，３２の目標輝度ｔ１，ｔ２の値、或いは操作スイッチ１の調整値を監視し、第１の光源２２の目標輝度ｔ１が所定目標輝度値ｙ以下に相当する場合に、第２の表示部の表示が停止されるように、第２の光源３２を消灯制御する。従って、利用者が所定目標輝度値ｙ以下になるように操作した場合には、第２の表示部３からの加飾表示を止めて、第１の表示部３からの表示像のみで表示することができるため、車両情報の視認性を損なうことなく、車両用計器から発する照明光の総量を低減して暗めの表示が可能となる。また、利用者は、調光のための操作スイッチ１によって調光操作するだけでよく、別の操作手段や操作手順の必要がないため、利用者にとって簡単な操作となる。
【００２０】
なお、上述の実施の形態では、図２に示すように調整値に応じて段階的に照明輝度を変化させるものを示したが、別例として、図３に示すように、調整値に応じて第１，第２の光源２２，３２の照明輝度ｔ１１，ｔ２１を連続変化させることもできる。この際、制御手段５は、所定目標輝度値ｙ１以下の場合、或いは所定目標輝度値ｙ１以下に相当する操作スイッチ１の調整値ｘ１以下の場合に、第２の光源３２を消灯するように制御する。
【００２１】
斯かる車両用表示装置は、車両情報を表示する第１の表示部２と、前記車両情報の表示を加飾表示する第２の表示部３と、第１、第２の表示部２，３を照明する第１，第２の光源２２，２３の照明輝度を調整するための操作スイッチ（入力手段）１と、操作スイッチ１に基づいて、第１，第２の表示部２，３の表示輝度を調整する制御手段５と、を備えた車両用表示装置であって、制御手段５は、操作スイッチ１からの信号に基づいて第１、第２の表示部２，３それぞれの目標輝度を設定して第１，第２の光源２２，２３を制御するとともに、第１の表示部２の第１の光源２２が所定目標輝度値以下の場合に、第２の表示部３の表示を停止してなる。
【００２２】
即ち、操作スイッチ１の調光操作に基づいて、第１，第２の表示部２，３の両方で表示する高輝度発光領域と、第１の表示部２のみで車両情報を表示する低輝度発光領域を有しているため、加飾表示可能な車両表示装置であっても、より低輝度で且つ視認性の良好な表示ができるため、調整可能範囲を大きく確保できるため、より多様な利用者の好みや仕様環境に適用できる。従って、利用者による簡単な操作によって、認識し易く且つ好みの明るさに調節可能な表示を行う車両用表示装置となる。
【００２３】
第１の表示部２は、表示パネル２１とこの表示パネル２１を透過照明する第１の光源２２と設けてなり、第２の表示部３は、導光部材３１とこの導光部材３１を透過照明する第２の光源３２とを設けてなり、制御手段５は、第２の光源３２を消灯することによって第２の表示部３の表示を停止することによって、第１，第２の表示部２，３の表示輝度をそれぞれ制御できる構成となり、利用者にとって、認識し易く且つ好みの明るさに調節可能な表示となる。
【００２４】
また、第１の表示部２からの表示を透過するとともに、第２の表示部２からの表示像を反射する透過反射手段４を備え、第１，第２の表示部２，３は、この透過反射手段４を用いて合成表示してなることによって、立体感や奥行き感など加飾演出効果の高い車両用表示装置であっても、上述した効果を得ることが可能となる。
【００２５】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、入力手段として操作スイッチ１ではなく、照度センサを用いて最適な照明輝度に自動調光する場合にあっても低輝度発光領域で背景を消灯するように構成でき、上述した実施の形態と同様な効果を得ることができる。また、表示パネル２１としてバックライトの必要がない有機ＥＬパネルなどを用いることができ、この場合、制御手段５による表示部の調光制御を有機ＥＬパネルにて直接行うことで実現できる。
【図面の簡単な説明】
【００２６】
【図１】本発明の実施の形態の構成を示すブロック図。
【図２】上述実施の形態の発光輝度と調整値の関係を示す図。
【図３】上述実施の形態の別例を示す図。
【符号の説明】
【００２７】
１    操作スイッチ（入力手段）
２    第１の表示器
２２  第１の光源
３    第２の表示器
３２  第２の光源
５    制御手段
【図１】
2010127876.tif 000003
【図２】
2010127876.tif 000004
【図３】
2010127876.tif 000005